(57)【要約】【課題】ウェッジ球等のリールテープを照明するランプを交換した場合、リールの回転に伴ってリールからリールテープが剥がれることがなく、また、リールテープに不自然な凹凸が生じることがなく、しかも、ランプ交換後におけるリールへのリールテープ付着作業が容易であるスロットマシンを提供することを目的とするものである。【解決手段】モータによって回転されるリール本体と、上記リール本体の外周面に固着されている第１の着脱自在テープと、上記リール本体の外周面に設けられているリールテープ本体と、上記リールテープ本体の表面に固着され、しかも、上記第１の着脱自在テープに対して着脱自在である第２の着脱自在テープとを有し、上記第１の着脱自在テープと上記第２の着脱自在テープとを介して、上記リール本体に上記リールテープ本体が固定されている。【選択図】  図２
2004154318.tif 000002
【特許請求の範囲】
【請求項１】
モータによって回転されるリール本体と；
上記リール本体の外周面に固着されている第１の着脱自在テープと；
上記リール本体の外周面に設けられているリールテープ本体と；
上記リールテープ本体の表面に固着され、しかも、上記第１の着脱自在テープに対して着脱自在である第２の着脱自在テープと；
を有し、上記第１の着脱自在テープと上記第２の着脱自在テープとを介して、上記リール本体に上記リールテープ本体が固定されていることを特徴とするスロットマシン。
【請求項２】
請求項１において、
上記リールテープ本体を照明するランプであって、上記リール本体内に設けられているランプを交換するに必要な上記リール本体の長さ分、上記第１の着脱自在テープと上記第２の着脱自在テープとが設けられていることを特徴とするスロットマシン。
【請求項３】
請求項１において、
上記リールテープ本体の長手方向の一方の端部に、第１の突部が設けられ、上記リールテープ本体の長手方向の他方の端部に、第２の突部が設けられ、上記第１の着脱自在テープと上記第２の着脱自在テープとを介して、上記リール本体に上記リールテープ本体を固定したときに、上記第１の突部と上記第２の突部とが互いに噛み合い、しかも上記第１の突部と上記第２の突部とが透明であることを特徴とするスロットマシン。
【請求項４】
請求項１において、
上記リール本体と同じ半径を具備する補助リール本体と；
上記補助リール本体の外周面に固着されている第３の着脱自在テープと；
上記リールテープ本体の表面に固着され、しかも、上記第３の着脱自在テープに対して着脱自在である第４の着脱自在テープと；
を有し、上記第３の着脱自在テープと上記第４の着脱自在テープとを介して、上記リールテープ本体に上記補助リール本体が固定されていることを特徴とするスロットマシン。
【請求項５】
モータによって回転されるリール本体と；
上記リール本体の外周面に固着されている着脱自在テープと；
を有することを特徴とするスロットマシン用リール。
【請求項６】
モータによって回転されるリール本体の外周面に設けられるリールテープ本体と；
上記リールテープ本体の表面に固着され、しかも、上記リール本体に固定されている第１の着脱自在テープに対して着脱自在である第２の着脱自在テープと；
を有することを特徴とするスロットマシン用リールテープ。
【発明の詳細な説明】
【０００１】
【発明の属する技術分野】
本発明は、スロットマシンに係り、特に、リールテープをリールに固定する手段に関する。
【０００２】
【従来の技術】
従来のスロットマシンにおいて、リールにリールテープを固定する場合、リールとリールテープとを両面テープによって固定している。
【０００３】
一方、リールテープに、数字、模様等の種々の絵柄が印刷され、この絵柄を目立たせるために、リールの内部にランプが設置され、このランプが発する光を、リールテープに照射するようにしている。
【０００４】
上記ランプとして、ウェッジ球等の所定時間使用後に寿命によって切れるランプと、半永久的に切れないＬＥＤとが使用されている。
【０００５】
ＬＥＤは、長寿命であるという利点があるものの、光の温かみ、柔らかさという点では、ウェッジ球よりも劣るという性質がある。ウェッジ球は、光の温かみ、柔らかさという点では、ＬＥＤに優るものの、所定時間毎に、球切れによって交換を余儀なくされるという欠点がある。
【０００６】
【発明が解決しようとする課題】
光の温かみ、柔らかさを重視するのであれば、ウェッジ球を使用し、球切れが生じ、そのウェッジ球を交換する場合、リールからリールテープを剥がし、ウェッジ球を新品と交換し、剥がされたリールテープをリールに固定する。
【０００７】
しかし、一旦、剥がされた両面テープは、粘着力が低下し、古い両面テープをそのまま使用して、リールにリールテープを着けると、リールの回転とともに、リールからリールテープが剥がれ、実用に耐え難いという問題がある。
【０００８】
また、古い両面テープを剥がさずに、この古い両面テープの上に新たな両面テープを着けると、その部分で不自然な凹凸が生じ、見栄えが劣るという問題がある。
【０００９】
ウェッジ球を交換する場合、リールからリールテープを剥がし、ウェッジ球を交換し、古い両面テープをきれいに剥がし、その後に、新たな両面テープを着けるようにすれば、その後にリールを回転してもリールテープの剥がれが生じず、また、リールテープを再び着けた後に不自然な凹凸が生じない。しかし、リールからリールテープを剥がした後に、古い両面テープをきれいに剥がし、新たな両面テープを着ける作業が煩雑であるという問題がある。
【００１０】
本発明は、ウェッジ球等のリールテープを照明するランプを交換した場合、リールの回転に伴ってリールからリールテープが剥がれることがなく、また、リールテープに不自然な凹凸が生じることがなく、しかも、ランプ交換後におけるリールへのリールテープ付着作業が容易であるスロットマシン、そのリール、リールテープを提供することを目的とするものである。
【００１１】
【課題を解決するための手段】
本発明は、モータによって回転されるリール本体と、上記リール本体の外周面に固着されている第１の着脱自在テープと、上記リール本体の外周面に設けられているリールテープ本体と、上記リールテープ本体の表面に固着され、しかも、上記第１の着脱自在テープに対して着脱自在である第２の着脱自在テープとを有し、上記第１の着脱自在テープと上記第２の着脱自在テープとを介して、上記リール本体に上記リールテープ本体が固定されているスロットマシンである。
【００１２】
【発明の実施の形態および実施例】
図１は、本発明の第１の実施例であるスロットマシンにおけるリールユニット１００を示す斜視図である。
【００１３】
リールユニット１００は、第１のリール装置Ｒ１と、第２のリール装置Ｒ２と、第３のリール装置Ｒ３とを有する。
【００１４】
図２は、第１のリール装置Ｒ１において、リール本体１０からリールテープ本体２０の一部を剥がした状態を示す斜視図である。
【００１５】
第１のリール装置Ｒ１は、基本的には、リール本体１０と、リールテープ本体２０と、補助リール本体３０と、ランプＬ１、Ｌ２、Ｌ３と、ステップモータＳＭ１と、モータベースＭＢ１とを有する。
【００１６】
そして、リール本体１０の外周面に、第１の着脱自在テープＭＴ１が固定され、リールテープ本体２０の表面に、第２の着脱自在テープＭＴ２と第４の着脱自在テープＭＴ４とが固定され、補助リール本体３０に、第３の着脱自在テープＭＴ３が固定されている。第１〜４の着脱自在テープＭＴ１〜ＭＴ４のそれぞれは、たとえばマジックテープ（登録商標）である。
【００１７】
図３は、第１のリール装置Ｒ１において、リール本体１０に第１の着脱自在テープＭＴ１が固定されている状態を示す斜視図である。
【００１８】
図４は、第１のリール装置Ｒ１において、補助リール本体３０に第３の着脱自在テープＭＴ３が固定されている状態を示す斜視図である。
【００１９】
図５は、リールテープ本体２０に、第２の着脱自在テープＭＴ２と第４の着脱自在テープＭＴ４とが固定されている状態を示す斜視図である。
【００２０】
また、第１の着脱自在テープＭＴ１と第２の着脱自在テープＭＴ２とが互いに着脱自在であり、第３の着脱自在テープＭＴ３と第４の着脱自在テープＭＴ４とが互いに着脱自在である。つまり、第１の着脱自在テープＭＴ１と第２の着脱自在テープＭＴ２とを介して、リール本体１０とリールテープ本体２０とが互いに着脱自在であり、第３の着脱自在テープＭＴ３と第４の着脱自在テープＭＴ４とを介して、補助リール本体３０とリールテープ本体２０とが着脱自在である。
【００２１】
リール本体１０は、ステップモータＳＭ１によって回転され、リールテープ本体２０は、リール本体１０の外周面に設けられている。
【００２２】
モータベースＭＢ１にステップモータＳＭ１が固定されている。
【００２３】
また、図５に示すように、リールテープ本体２０の長手方向の一方の端部Ｅ１に、第１の突部ＣＶ１が設けられ、リールテープ本体２０の長手方向の他方の端部Ｅ２に、第２の突部ＣＶ２が設けられ、第１の着脱自在テープＭＴ１と第２の着脱自在テープＭＴ２とを介して、リール本体１０にリールテープ本体２０を固定したときに、第１の突部ＣＶ１と第２の突部ＣＶ２とが互いに噛み合い、しかも第１の突部ＣＶ１と第２の突部ＣＶ２とが透明である。
【００２４】
第２のリール装置Ｒ２、第３のリール装置Ｒ３の構成は、第１のリール装置Ｒ１の構成と同様である。
【００２５】
次に、第１のリール装置Ｒ１において、ランプＬ１、Ｌ２、Ｌ３を交換する動作について説明する。
【００２６】
ランプＬ１、Ｌ２、Ｌ３の少なくとも１つが切れた場合、たとえばランプＬ１が切れた場合、そのランプＬ１を交換するために、リールテープ本体２０の端部Ｅ１がランプＬ１の設置位置の近傍に来るように、リール本体１０を回動し、作業者がリールテープ本体２０の端部Ｅ１を摘み、リール本体１０からリールテープ本体２０を剥がす。この場合、リールテープ本体２０をリール本体１０から剥がす長さは、交換すべきランプＬ１を交換するに必要な長さで足りる。そして、ランプＬ１を交換した後に、剥がしたリールテープ本体２０を、リール本体１０に押し付け、この押し付けによって、リールテープ本体２０をリール本体１０に固着する。これら一連の動作によって、ランプＬ１の交換作業が終了する。
【００２７】
第２のリール装置Ｒ２、第３のリール装置Ｒ３において、ランプを交換する動作は、第１のリール装置Ｒ１においてランプを交換する上記動作と同様である。
【００２８】
本実施例によれば、リールテープ本体２０を照明するウェッジ球等のランプＬ１、Ｌ２、Ｌ３を交換した場合、リール本体１０の回転に伴ってリール本体１０からリールテープ本体２０が剥がれることがなく、また、リールテープ本体２０に不自然な凹凸が生じることがなく、しかも、ランプＬ１、Ｌ２、Ｌ３を交換した後に、リール本体１０へリールテープ本体２０を付着する作業が容易である。
【００２９】
上記実施例において、リールテープ本体を照明するランプであって、リール本体１０内に設けられているランプＬ１、Ｌ２、Ｌ３の少なくとも１つを交換するに必要なリール本体１０の長さ分、第１の着脱自在テープＭＴ１と第２の着脱自在テープＭＴ２とが設けられていれば足り、それ以外の部分には、着脱自在テープの代わりに、両面テープが使用されていてもよい。つまり、リール本体１０の全周に着脱自在テープＭＴ１を固定してもよく、ランプを交換するに充分な範囲にのみ、着脱自在テープＭＴ１を固定するようにしてもよい。また、リールテープ本体２０の長手方向の全て着脱自在テープＭＴ２を固定してもよく、ランプを交換するに充分な範囲にのみ、着脱自在テープＭＴ２を固定するようにしてもよい。
【００３０】
また、上記実施例において、補助リール本体３０は、リール本体１０とほぼ同じ半径を具備するリールであるが、リールテープ本体２０の強度が所定値以上あれば、補助リール本体３０を使用しないような変形例によって、第１リール装置Ｒ１を構成するようにしてもよい。この場合、リールテープ本体２０に第４の着脱自在テープＭＴ４を設ける必要はない。
【００３１】
つまり、上記変形例は、モータによって回転されるリール本体と、上記リール本体の外周面に固着されている第１の着脱自在テープと、上記リール本体の外周面に設けられているリールテープ本体と、上記リールテープ本体の表面に固着され、しかも、上記第１の着脱自在テープに対して着脱自在である第２の着脱自在テープとを有し、上記第１の着脱自在テープと上記第２の着脱自在テープとを介して、上記リール本体に上記リールテープ本体が固定されているスロットマシンである。
【００３２】
また、上記実施例において、スロットマシン用リールに着目すると、モータによって回転されるリール本体と、リール本体の外周面に固着されている着脱自在テープとによって、スロットマシン用リールが構成されている。
【００３３】
さらに、上記実施例において、スロットマシン用リールテープに着目すると、モータによって回転されるリール本体の外周面に設けられるリールテープ本体と、リールテープ本体の表面に固着され、しかも、リール本体に固定されている第１の着脱自在テープに対して着脱自在である第２の着脱自在テープとによって、スロットマシン用リールテープが構成されている。
【００３４】
なお、上記実施例において、リールテープ本体２０の長手方向の一方の端部Ｅ１に設けられている第１の突部ＣＶ１における突起の数、リールテープ本体２０の長手方向の他方の端部Ｅ２に設けられている第２の突部ＣＶ２における突起の数は、図５に示す突起の数以外の数であってもよい。また、第１の突部ＣＶ１、第２の突部ＣＶ２の形状は、波形、三角形等、矩形以外の形状でもよい。
【００３５】
さらに、上記実施例において、第１の着脱自在テープＭＴ１を、リール本体１０の外周の全周ではなく、断続的に部分的に設けるようにしてもよく、第３の着脱自在テープＭＴ３を、補助リール本体３０の外周の全周ではなく、断続的に部分的に設けるようにしてもよく、第２の着脱自在テープＭＴ２、第４の着脱自在テープＭＴ４の長手方向の全長ではなく、断続的に部分的に設けるようにしてもよい。
【００３６】
【発明の効果】
本発明によれば、ウェッジ球等のリールテープを照明するランプを交換した場合、リールの回転に伴ってリールからリールテープが剥がれることがなく、また、リールテープに不自然な凹凸が生じることがなく、しかも、ランプ交換後におけるリールへのリールテープ付着作業が容易であるという効果を奏する。
【図面の簡単な説明】
【図１】本発明の第１の実施例であるスロットマシンにおけるリールユニット１００を示す斜視図である。
【図２】第１のリール装置Ｒ１において、リール本体１０からリールテープ本体２０の一部を剥がした状態を示す斜視図である。
【図３】第１のリール装置Ｒ１において、リール本体１０に第１の着脱自在テープＭＴ１が固定されている状態を示す斜視図である。
【図４】第１のリール装置Ｒ１において、補助リール本体３０に第３の着脱自在テープＭＴ３が固定されている状態を示す斜視図である。
【図５】リールテープ本体２０に、第２の着脱自在テープＭＴ２と第４の着脱自在テープＭＴ４とが固定されている状態を示す斜視図である。
【符号の説明】
１０…リール本体、
２０…リールテープ本体、
３０…補助リール本体、
ＭＴ１…第１の着脱自在テープ、
ＭＴ２…第２の着脱自在テープ、
ＭＴ３…第３の着脱自在テープ、
ＭＴ４…第４の着脱自在テープ、
Ｌ１、Ｌ２、Ｌ３…ランプ、
ＳＭ１…ステップモータ、
ＭＢ１…モータベース、
Ｅ１…第１の端部、
Ｅ２…第２の端部、
ＣＶ１…第１の突部、
ＣＶ２…第２の突部。
【図１】
2004154318.tif 000003
【図２】
2004154318.tif 000004
【図３】
2004154318.tif 000005
【図４】
2004154318.tif 000006
【図５】
2004154318.tif 000007